(57)【要約】【課題】キャブ支持ブラケットの基部の外側でのバッテリーの配置スペースを狭くし、かつ、基部が上部旋回体前後方向に長くなることを抑制し、かつ、バッテリーのメンテナンスを容易に行えるようにする。【解決手段】バッテリー格納装置２０は、バッテリー支持ブラケット３０を備える。バッテリー支持ブラケット３０は、バッテリー支持ブラケット３０の少なくとも一部３０ａが基部１７ｂの内側１７ｃに配置された状態と、一部３０ａが基部１７ｂの外側１７ｄに配置された状態と、の間でスライド可能である。バッテリー支持ブラケット３０のスライド方向Ｘは、上部旋回体１３の左右方向（上部旋回体左右方向Ｘ）である。【選択図】図５
2014070425.tif 000002
【特許請求の範囲】
【請求項１】
前部に作業装置が設けられるとともに後部にカウンタウエイトが設けられる上部旋回体と、
前記上部旋回体に対して移動可能に取り付けられる可動式キャブと、
前記上部旋回体に対して前記可動式キャブを移動可能に支持するとともに、基部が前記上部旋回体に固定されるキャブ支持ブラケットと、
を備える作業機械に用いられるバッテリー格納装置であって、
バッテリーが載せられるバッテリー支持ブラケットを備え、
前記バッテリー支持ブラケットは、前記バッテリー支持ブラケットの少なくとも一部が前記基部の内側に配置された状態と、前記一部が前記基部の外側に配置された状態と、の間でスライド可能であり、
前記バッテリー支持ブラケットのスライド方向は、前記上部旋回体の左右方向である、
作業機械のバッテリー格納装置。
【請求項２】
前記キャブ支持ブラケットの前記基部の内側に配置されるスライドパッドを備え、
前記スライドパッドは、前記スライド方向から見て、前記バッテリー支持ブラケットの左右及び下に配置される、
請求項１に記載の作業機械のバッテリー格納装置。
【請求項３】
前記バッテリー支持ブラケットに固定されるブラケット側ストッパーと、
前記ブラケット側ストッパーよりも前記スライド方向奥側に配置され、前記上部旋回体に固定される奥側ストッパーと、
を備え、
前記奥側ストッパーは、前記ブラケット側ストッパーと係合したときに、前記スライド方向に直交する方向への前記ブラケット側ストッパーの移動を規制するように構成される、
請求項１または２に記載の作業機械のバッテリー格納装置。
【請求項４】
前記ブラケット側ストッパーは、
下側ほど前記スライド方向奥側に突出するブラケット側傾斜部と、
前記ブラケット側ストッパーの前記スライド方向奥側端部に配置され、凹形状または凸形状のブラケット側凹凸部と、
を備え、
前記奥側ストッパーは、
上側ほど前記スライド方向手前側に突出するとともに前記ブラケット側傾斜部と接触可能に構成される奥側傾斜部と、
前記奥側ストッパーの前記スライド方向手前側端部に配置され、前記ブラケット側凹凸部に係合可能な奥側凹凸部と、
を備え、
前記奥側凹凸部は、前記ブラケット側凹凸部と係合したときに、前記スライド方向から見た左右方向への前記ブラケット側凹凸部の移動を規制するように構成される、
請求項３に記載の作業機械のバッテリー格納装置。
【請求項５】
前記ブラケット側ストッパーよりも前記スライド方向手前側に配置され、かつ、前記上部旋回体に固定され、かつ、前記ブラケット側ストッパーと接触可能に構成される手前側ストッパーを備える、
請求項３又は４に記載の作業機械のバッテリー格納装置。
【発明の詳細な説明】
【技術分野】
【０００１】
本発明は、可動式キャブを備える作業機械のバッテリー格納装置に関する。
【背景技術】
【０００２】
従来より、可動式キャブを備える作業機械がある（例えば特許文献１の図１，６，７，８参照）。この作業機械は、上部旋回体に対して可動式キャブを移動可能に支持するキャブ支持ブラケットを備える。
【０００３】
図６（ａ）及び（ｂ）に従来技術の一例を示す。図６（ａ）は、従来の作業機械のキャブ支持ブラケット１１７の周辺を横から見た図である。図６（ｂ）は、図６（ａ）に示すキャブ支持ブラケット１１７の周辺を上から見た図であり、図６（ａ）のVIb矢視図である。なお、図６（ａ）は、図６（ｂ）のVIa矢視図である。
【０００４】
従来の作業機械には、キャブ支持ブラケット１１７の基部の横に複数のバッテリー１１９が配置されたものがある。これらのバッテリー１１９は、バッテリー長手方向が上部旋回体の前後方向となるように直列的に配置される。このバッテリー１１９の配置は、標準機（上部旋回体にキャブが固定された作業機械）のレイアウトを崩さないようにするための配置であり、また、可動式キャブを備える作業機械と標準機との部品の共通化を優先させた配置である。
【０００５】
また、これらのバッテリー１１９は、キャブ支持ブラケット１１７の基部の内側にバッテリー１１９の一部が入り込むように配置される。このバッテリー１１９の配置は、上部旋回体の左右方向の幅を狭くするための配置であり、例えば上部旋回体が輸送制限幅を超えないようにするための配置である。
【０００６】
なお、特許文献２には、キャブ支持ブラケットの基部の内側に、発電機を配置したものが記載されている。
【先行技術文献】
【特許文献】
【０００７】
【特許文献１】特開２００８−００２１７８号公報
【特許文献２】特開２００６−３２１６４９号公報
【発明の概要】
【発明が解決しようとする課題】
【０００８】
図６（ａ）及び（ｂ）に示す従来の作業機械では、キャブ支持ブラケット１１７の基部横に複数のバッテリー１１９が直列的に配置されている。その結果、可動式キャブ１１５（運転室）への昇降性が悪化するおそれがある。この問題の詳細は次の通りである。可動式キャブ１１５は、キャブ支持ブラケット１１７の基部の前方に配置される。そのため、作業機械の操作者は、キャブ支持ブラケット１１７の基部横の前方に配置されるステップ（足を乗せるためのスペース）を通って、可動式キャブ１１５への昇降を行う場合がある。しかし、ステップの広さがバッテリー１１９に制限され、その結果、可動式キャブ１１５への昇降性が悪化するおそれがある。
【０００９】
また、上記従来技術では、キャブ支持ブラケット１１７の基部の前後方向（上部旋回体前後方向）の長さが長くなる結果、可動式キャブ１１５から下方が見えにくくなるおそれがある。この問題の詳細は次の通りである。上述したように、バッテリー１１９は、キャブ支持ブラケット１１７の基部の内側にバッテリー１１９の一部が入り込むように配置される場合がある。この場合、バッテリー１１９の配置スペースを確保するためには、キャブ支持ブラケット１１７の基部の前後方向（上部旋回体前後方向）の長さを十分長くする必要が生じる。すると、キャブ支持ブラケット１１７を長くした分、可動式キャブ１１５は前方に配置されることになる。その結果、例えば作業機械の走行時に、可動式キャブ１１５から下方を覗き込んだとき、下部走行体の先端（例えばクローラの先端）が操作者から見えない（又は見えにくい）おそれがあり、危険である。
【００１０】
特許文献２に記載の技術は、キャブ支持ブラケットの基部の内側に発電機を配置したものである。発電機は日常メンテナンスの必要性が無いので、基部の内側に発電機が配置されても問題はない。しかし、この発電機をバッテリーに置換すれば、バッテリーの日常メンテナンスが困難になる。
【００１１】
そこで、キャブ支持ブラケットの基部の外側でのバッテリーの配置スペースを狭くでき、かつ、基部が上部旋回体前後方向に長くなることを抑制でき、かつ、バッテリーのメンテナンスを容易に行える、作業機械のバッテリー格納装置を提供することを本発明の目的とする。
【課題を解決するための手段】
【００１２】
本発明は、作業機械に用いられるバッテリー格納装置である。前記作業機械は、前部に作業装置が設けられるとともに後部にカウンタウエイトが設けられる上部旋回体と、前記上部旋回体に対して移動可能に取り付けられる可動式キャブと、前記上部旋回体に対して前記可動式キャブを移動可能に支持するとともに基部が前記上部旋回体に固定されるキャブ支持ブラケットと、を備える。前記バッテリー格納装置は、バッテリーが載せられるバッテリー支持ブラケットを備える。前記バッテリー支持ブラケットは、前記バッテリー支持ブラケットの少なくとも一部が前記基部の内側に配置された状態と、前記一部が前記基部の外側に配置された状態と、の間でスライド可能である。前記バッテリー支持ブラケットのスライド方向は、前記上部旋回体の左右方向である。前記バッテリー支持ブラケットに載せられる前記バッテリーの長手方向は、前記上部旋回体の左右方向である。
【発明の効果】
【００１３】
上記構成により、キャブ支持ブラケットの基部の外側でのバッテリーの配置スペースを狭くでき、かつ、基部が上部旋回体前後方向に長くなることを抑制でき、かつ、バッテリーのメンテナンスを容易に行える。
【図面の簡単な説明】
【００１４】
【図１】作業機械を横から見た図である。
【図２】図１に示すバッテリー格納装置２０の拡大図である。
【図３】図２のIII断面矢視図である。
【図４】（ａ）：図３に示すブラケット側ストッパー７１の周辺を示す図である。（ｂ）：図３に示す奥側ストッパー７５を示す図である。
【図５】バッテリーメンテナンス状態のときの図３相当図である。
【図６】（ａ）：従来の作業機械のキャブ支持ブラケット周辺を示す図である。（ｂ）：図６（ａ）に示すキャブ支持ブラケット周辺を上から見た図である。
【発明を実施するための形態】
【００１５】
図１〜図５を参照して作業機械１（図１参照）のバッテリー格納装置２０について説明する。なお、図２は、図３のII矢視図である。
【００１６】
作業機械１は、例えば油圧ショベルなどである。作業機械１は、下部走行体１１と、上部旋回体１３と、可動式キャブ１５と、キャブ支持ブラケット１７と、を備える。さらに、作業機械１は、キャブ支持ブラケット１７の基部１７ｂの内側１７ｃにそれぞれ配置された、バッテリー１９と、バッテリー格納装置２０と、を備える。
【００１７】
下部走行体１１は、作業機械１を走行させる部分であり、例えばクローラ式である。
【００１８】
上部旋回体１３は、下部走行体１１に旋回機構１２を介して搭載され、下部走行体１１に対して旋回可能である。上部旋回体１３は、旋回フレーム１３ａと、上部旋回体１３の前部に設けられる作業装置１３ｂと、上部旋回体１３の後部に設けられるカウンタウエイト１３ｃと、を備える。旋回フレーム１３ａは、旋回機構１２に取り付けられる構造物である。作業装置１３ｂ（アタッチメント）は、旋回フレーム１３ａの前部に取り付けられる。作業機械１が油圧ショベルの場合、作業装置１３ｂは、ブーム、アーム、及びバケット等である。カウンタウエイト１３ｃは、旋回フレーム１３ａの後部に取り付けられる、おもりである。ここで、上部旋回体１３の左右方向を、上部旋回体左右方向Ｘとする。上部旋回体１３の前後方向を、上部旋回体前後方向Ｙとする。
【００１９】
可動式キャブ１５は、作業機械１の運転室である。可動式キャブ１５は、上部旋回体１３に対して移動可能に、上部旋回体１３に取り付けられる。
【００２０】
キャブ支持ブラケット１７は、上部旋回体１３に対して可動式キャブ１５を移動可能に支持する。キャブ支持ブラケット１７の基部１７ｂ（後述）は、上部旋回体１３に固定される。キャブ支持ブラケット１７は、旋回フレーム１３ａから上に延びるように配置される（旋回フレーム１３ａに立てて設けられる）。キャブ支持ブラケット１７は、旋回フレーム１３ａの左または右の端部に配置される。キャブ支持ブラケット１７は、エレベータ式、リンク式、前後スライド式、又はチルト式などである（図１ではエレベータ式を示している）。エレベータ式では、上部旋回体１３に対し可動式キャブ１５が上下方向にのみ移動可能である。リンク式では、上部旋回体１３に対し可動式キャブ１５が上下方向（及び前後方向）に移動可能である。前後スライド式では、可動式キャブ１５が上部旋回体前後方向Ｙに移動可能である。チルト式では、上部旋回体１３（の旋回フレーム１３ａ）に対する可動式キャブ１５（の底面）の角度が可変である。チルト式では、可動式キャブ１５の前端部が上下に移動可能である。キャブ支持ブラケット１７は、可動式キャブ１５が取り付けられる本体部１７ａと、本体部１７ａが固定される基部１７ｂと、を備える。
【００２１】
基部１７ｂは、キャブ支持ブラケット１７の土台部分（ベース）である。基部１７ｂは、キャブ支持ブラケット１７の下端部（根もと）である。基部１７ｂは、旋回フレーム１３ａに固定される。なお、基部１７ｂの内側（内部）を内側１７ｃとし、基部１７ｂの外側（外部）を外側１７ｄとする。
【００２２】
バッテリー１９は、作業機械１が備える各種電気機器の電源である。バッテリー１９は、例えば２つ設けられる。バッテリー１９は、長手方向を有する直方体である。
【００２３】
バッテリー格納装置２０は、バッテリー１９をスライド及び固定させる装置である。図２及び図３に示すように、バッテリー格納装置２０は、枠部２１と、バッテリー支持ブラケット３０と、バッテリー固定部材４０と、ブラケット固定部材５０と、スライドパッド６０と、ストッパー７０と、を備える。
【００２４】
枠部２１は、図１に示す基部１７ｂと旋回フレーム１３ａとで構成される枠状（筒状）の部分である。枠部２１（図２参照）の内側は、基部１７ｂの内側１７ｃである。図２に示すように、枠部２１は、枠底板２１ｂと、枠側板２１ｓと、枠天板２１ｕと、を備える。枠底板２１ｂは、旋回フレーム１３ａの一部である。枠側板２１ｓは、基部１７ｂの、上部旋回体前後方向Ｙの前部および後部の板である。枠天板２１ｕは、基部１７ｂの上部の板である。
【００２５】
バッテリー支持ブラケット３０は、バッテリー１９が載せられる部材である。図３及び図５に示すように、バッテリー支持ブラケット３０は、基部１７ｂ（枠部２１）の内側１７ｃと外側１７ｄとの間でスライド可能である。さらに詳しくは、バッテリー支持ブラケット３０は、バッテリー支持ブラケット３０の少なくとも一部（「一部３０ａ」とする）が基部１７ｂの内側１７ｃに配置された状態（図３参照）と、一部３０ａが基部１７ｂの外側１７ｄに配置された状態（図５参照）と、の間でスライド可能である。バッテリー支持ブラケット３０のスライド方向Ｘは、上部旋回体左右方向Ｘである。ここで、スライド方向Ｘにおいて、基部１７ｂの内側１７ｃから外側１７ｄに向かう側をスライド方向手前側Ｘ１とし、基部１７ｂの外側１７ｄから内側１７ｃに向かう側をスライド方向奥側Ｘ２とする。図２に示すように、スライド方向Ｘから見た左右方向を、ブラケット左右方向Ｙとする。ブラケット左右方向Ｙは、図１に示す上部旋回体前後方向Ｙと一致する。図３に示すように、バッテリー支持ブラケット３０に載せられるバッテリー１９の長手方向は、上部旋回体左右方向Ｘ（スライド方向Ｘ）である。図２に示すように、バッテリー支持ブラケット３０には、２つのバッテリー１９がブラケット左右方向Ｙに並べて配置される（並列配置される）。バッテリー支持ブラケット３０は、トレー部３１と、取っ手３３と、を備える。
【００２６】
トレー部３１は、バッテリー１９が載せられる部分である。トレー部３１は、トレー状（蓋のない箱状）である。図４（ａ）に示すように、トレー部３１は、トレー下板３１ｂと、スライド方向奥側Ｘ２部分のトレー奥板３１ｒと、ブラケット左右方向Ｙ外側部分のトレー側板３１ｓ（２枚）と、スライド方向手前側Ｘ１部分のトレー手前板３１ｆ（図３参照）と、を備える。
【００２７】
取っ手３３は、図２及び図３に示すように、バッテリー支持ブラケット３０をスライド方向手前側Ｘ１にスライドさせやすく（手で引っ張りやすく）するための部材である。取っ手３３は、トレー手前板３１ｆよりもスライド方向手前側Ｘ１かつ上側に突出するように、トレー手前板３１ｆに固定される。
【００２８】
バッテリー固定部材４０は、図２に示すように、バッテリー支持ブラケット３０にバッテリー１９を固定するための部材である。バッテリー固定部材４０は、バッテリー固定部材４０とバッテリー支持ブラケット３０とでバッテリー１９を上下方向に挟み込めるように構成（配置及び形成）される。バッテリー固定部材４０は、バッテリー固定プレート４１と、バッテリー固定ナット４３と、バッテリー固定ボルト４５と、を備える。
【００２９】
バッテリー固定プレート４１は、バッテリー１９の上面に接触するように配置される。バッテリー固定プレート４１は、複数（例えば２つ）のバッテリー１９の上面にまたがって配置される。バッテリー固定プレート４１は、板部４１ａと、ボス部４１ｂとを備える。板部４１ａは、バッテリー１９の上面と接触する板である。ボス部４１ｂは、板部４１ａから上に突出する。ボス部４１ｂは、内側にめねじが形成される（形成されなくてもよい）。バッテリー固定ナット４３は、トレー下板３１ｂの下面に固定（例えば溶接）される。バッテリー固定ボルト４５は、バッテリー固定ナット４３とボス部４１ｂとを締結する。
【００３０】
ブラケット固定部材５０は、図３に示すように、バッテリー格納状態（詳細は後述）のときのバッテリー支持ブラケット３０を、枠部２１に固定する（旋回フレーム１３ａに対して固定する）ための部材である。ブラケット固定部材５０は、バッテリー支持ブラケット３０のスライド方向手前側Ｘ１端部と、枠部２１と、を固定する。ブラケット固定部材５０は、例えば、トレー側板３１ｓと、枠底板２１ｂと、を連結して固定する。ブラケット固定部材５０は、ブラケット側固定部材５１と、枠部側固定部材５３と、ブラケット固定ボルト５５と、を備える。
【００３１】
ブラケット側固定部材５１は、バッテリー支持ブラケット３０のスライド方向手前側Ｘ１端部に固定される。図２に示すように、ブラケット側固定部材５１は、例えば、スライド方向Ｘから見てＬ字状であり、縦板５１ａと、横板５１ｂと、を備える。縦板５１ａは、トレー側板３１ｓのブラケット左右方向Ｙ外側面に固定される。横板５１ｂは、縦板５１ａの例えば下端部からブラケット左右方向Ｙ外側に突出する。
【００３２】
枠部側固定部材５３は、旋回フレーム１３ａ（枠底板２１ｂ）に固定（例えば溶接）される。枠部側固定部材５３には、ブラケット側固定部材５１が接触可能である。図３に示すように、枠部側固定部材５３は、例えば、枠側板２１ｓよりもスライド方向手前側Ｘ１に配置される。枠部側固定部材５３は、ネジ孔が形成されたタップドブロックである。
【００３３】
ブラケット固定ボルト５５は、ブラケット側固定部材５１と枠部側固定部材５３とを締結する。ブラケット固定ボルト５５は、横板５１ｂに形成された孔に通されるとともに、枠部側固定部材５３のネジ孔に締結される。
【００３４】
スライドパッド６０は、図２に示すバッテリー支持ブラケット３０のスライド方向Ｘへのスライドを容易にする。スライドパッド６０は、キャブ支持ブラケット１７（図１参照）の基部１７ｂの内側１７ｃに配置される。スライドパッド６０は、例えば、長手方向がスライド方向Ｘの直方体の板などである。スライドパッド６０は、スライド方向Ｘから見て、バッテリー支持ブラケット３０の左右及び下に配置される。スライドパッド６０には、バッテリー支持ブラケット３０の下に配置される下スライドパッド６１と、バッテリー支持ブラケット３０の左右に配置される左右スライドパッド６３と、がある。
【００３５】
下スライドパッド６１には、枠部側下スライドパッド６１ａと、ブラケット側下スライドパッド６１ｂと、がある。枠部側下スライドパッド６１ａは、枠部２１の枠底板２１ｂの上面に固定される。ブラケット側下スライドパッド６１ｂは、トレー部３１のトレー下板３１ｂの下面に固定される。枠部側下スライドパッド６１ａとブラケット側下スライドパッド６１ｂとは、上下方向に対向して接触する。枠部側下スライドパッド６１ａ及びブラケット側下スライドパッド６１ｂは、例えばそれぞれ２枚ずつ（合計４枚）設けられる（枚数は変更してもよい）。ブラケット側下スライドパッド６１ｂは、トレー下板３１ｂの左右の端部（ブラケット左右方向Ｙの外側両端部）付近に１枚ずつ配置される。なお、下スライドパッド６１は、枠部側下スライドパッド６１ａ及びブラケット側下スライドパッド６１ｂのうち一方のみを備えてもよい。
【００３６】
左右スライドパッド６３には、枠部側左右スライドパッド６３ａと、ブラケット側左右スライドパッド６３ｂと、がある。枠部側左右スライドパッド６３ａは、枠部２１の枠側板２１ｓ（２枚）の内面（ブラケット左右方向Ｙ内側の面）それぞれに固定される。ブラケット側左右スライドパッド６３ｂは、トレー部３１のトレー側板３１ｓ（２枚）の外側面（ブラケット左右方向Ｙ外側の面）それぞれに固定される。
【００３７】
この左右スライドパッド６３は、バッテリー支持ブラケット３０のブラケット左右方向Ｙへの移動を規制するように構成される。具体的には、枠部側左右スライドパッド６３ａは、トレー部３１に（例えばトレー側板３１ｓに）接触可能に配置される。または（及び）、ブラケット側左右スライドパッド６３ｂは、枠側板２１ｓに接触可能に配置される。なお、左右スライドパッド６３は、枠部側左右スライドパッド６３ａおよびブラケット側左右スライドパッド６３ｂのうち一方のみを備えてもよい。
【００３８】
この左右スライドパッド６３は、バッテリー支持ブラケット３０の上向きの移動を規制するように構成される。具体的には、枠部側左右スライドパッド６３ａは、ブラケット側左右スライドパッド６３ｂの上（直上）に配置される。枠部側左右スライドパッド６３ａの下面と、ブラケット側左右スライドパッド６３ｂの上面と、が接触可能となるように左右スライドパッド６３が構成される。
【００３９】
ストッパー７０は、スライド方向Ｘ等の、バッテリー支持ブラケット３０の移動を規制する。図３に示すように、ストッパー７０には、ブラケット側ストッパー７１と、手前側ストッパー７３と、奥側ストッパー７５と、がある。
【００４０】
ブラケット側ストッパー７１は、バッテリー支持ブラケット３０に固定される。ブラケット側ストッパー７１は、バッテリー支持ブラケット３０のスライド方向奥側Ｘ２端部に配置される。ブラケット側ストッパー７１は、トレー下板３１ｂの下面に固定される（トレー奥板３１ｒのスライド方向奥側Ｘ２の面に固定されてもよい）。ブラケット側ストッパー７１のスライド方向奥側Ｘ２端部は、トレー奥板３１ｒよりもスライド方向奥側Ｘ２に配置される。図２に示すように、ブラケット側ストッパー７１は、例えば、２枚のブラケット側下スライドパッド６１ｂの間に配置される。図４（ａ）に示すように、ブラケット側ストッパー７１のスライド方向奥側Ｘ２端部は、クサビ形（基端から先端に向かって薄くなる形状）である。ブラケット側ストッパー７１は、ブラケット側傾斜部７１ａと、ブラケット側凹凸部７１ｂと、を備える。
【００４１】
ブラケット側傾斜部７１ａは、上下方向に対して傾斜し、下側ほど（下に至るにしたがって）スライド方向奥側Ｘ２に突出するように傾斜する。ブラケット側傾斜部７１ａは、ブラケット側ストッパー７１のスライド方向奥側Ｘ２端部に設けられる。
【００４２】
ブラケット側凹凸部７１ｂは、ブラケット側ストッパー７１のスライド方向奥側Ｘ２端部に設けられる。ブラケット側凹凸部７１ｂは、ブラケット側傾斜部７１ａに形成される。ブラケット側凹凸部７１ｂの形状は、凹形状または凸形状である（図４（ａ）では１つの凸形状を示す）。ブラケット側凹凸部７１ｂは、凹形状および凸形状の両方を備えてもよく、凹形状や凸形状を複数備えてもよい（後述する奥側凹凸部７５ｂも同様）。ブラケット側凹凸部７１ｂは、テーパー形状を備える（詳細は後述）。
【００４３】
手前側ストッパー７３は、図３に示すバッテリー支持ブラケット３０のスライド方向手前側Ｘ１への移動を規制する。手前側ストッパー７３は、枠底板２１ｂに（上部旋回体１３に）固定される。手前側ストッパー７３は、ブラケット側ストッパー７１よりもスライド方向手前側Ｘ１に配置される。手前側ストッパー７３は、枠部２１のスライド方向手前側Ｘ１端部の近傍に配置される。手前側ストッパー７３は、ブラケット側ストッパー７１と接触可能に構成される。図２に示すように、手前側ストッパー７３は、例えば、２枚の枠部側下スライドパッド６１ａの間に配置される。
【００４４】
奥側ストッパー７５は、図３に示すバッテリー支持ブラケット３０のスライド方向奥側Ｘ２への移動を規制する。奥側ストッパー７５は、枠底板２１ｂに（上部旋回体１３に）固定される。奥側ストッパー７５は、ブラケット側ストッパー７１よりもスライド方向奥側Ｘ２に配置される。奥側ストッパー７５は、ブラケット側ストッパー７１と接触可能に構成される。奥側ストッパー７５は、ブラケット側ストッパー７１と係合したときに、スライド方向Ｘに直交する方向へのブラケット側ストッパー７１の移動を規制するように構成される。図４（ｂ）に示すように、奥側ストッパー７５のスライド方向手前側Ｘ１端部は、クサビ形である。奥側ストッパー７５は、奥側傾斜部７５ａと、奥側凹凸部７５ｂと、を備える。
【００４５】
奥側傾斜部７５ａは、ブラケット側傾斜部７１ａ（図４（ａ）参照）と接触することで、バッテリー支持ブラケット３０の上向きの移動を規制する部分である。奥側傾斜部７５ａは、上下方向に対して傾斜し、上側ほど（上に至るにしたがって）スライド方向手前側Ｘ１に突出するように傾斜する。奥側傾斜部７５ａとブラケット側傾斜部７１ａとは平行（又は略平行）である（図３参照）。奥側傾斜部７５ａは、奥側ストッパー７５のスライド方向手前側Ｘ１端部に設けられる。
【００４６】
奥側凹凸部７５ｂは、ブラケット側凹凸部７１ｂと係合することで、バッテリー支持ブラケット３０のブラケット左右方向Ｙへの移動を規制する部分である。奥側凹凸部７５ｂは、奥側ストッパー７５のスライド方向手前側Ｘ１端部に配置（形成）される。奥側凹凸部７５ｂは、奥側傾斜部７５ａに形成される。奥側凹凸部７５ｂの形状は、ブラケット側凹凸部７１ｂ（図４（ａ）参照）に係合可能な形状である。例えば、図４（ａ）に示すようにブラケット側凹凸部７１ｂの形状が１つの凸形状の場合、図４（ｂ）に示すように奥側凹凸部７５ｂの形状は１つの凹形状である。奥側凹凸部７５ｂは、奥側凹凸部７５ｂにブラケット側凹凸部７１ｂ（図４（ａ）参照）が嵌まりこみやすくなるようなテーパー形状を備える。具体的には例えば、ブラケット側凹凸部７１ｂ（図４（ａ）参照）の形状が四角錐台の場合、奥側凹凸部７５ｂの形状は平面から四角錐台を取り除いた凹形状である。
【００４７】
（動作）
次に、バッテリー格納装置２０の動作を説明する。バッテリー格納装置２０には、バッテリーメンテナンス状態と、バッテリー格納状態と、これらの中間状態と、がある。
【００４８】
（１）バッテリーメンテナンス状態
バッテリーメンテナンス状態は、図５に示すように、バッテリー１９をメンテナンス（バッテリー液量等の確認等）するとき等の、バッテリー格納装置２０の状態である。バッテリーメンテナンス状態は、バッテリー支持ブラケット３０の大部分（全部でもよい）およびバッテリー１９が、基部１７ｂの外側１７ｄ（枠部２１の外側）に引き出された状態である。以下、バッテリーメンテナンス状態のときの、バッテリー支持ブラケット３０の枠部２１に対する移動の規制について説明する。
（１−ａ）スライド方向手前側Ｘ１への移動の規制
手前側ストッパー７３のスライド方向奥側Ｘ２端部と、ブラケット側ストッパー７１のスライド方向手前側Ｘ１端部と、が接触する。これにより、バッテリー支持ブラケット３０のスライド方向手前側Ｘ１への移動が規制される。
（１−ｂ）上向きの移動の規制
ブラケット側左右スライドパッド６３ｂのスライド方向奥側Ｘ２端部付近の上端部と、枠部側左右スライドパッド６３ａのスライド方向手前側Ｘ１端部付近の下端部と、が接触する（ひっかかる）。これにより、バッテリー支持ブラケット３０のスライド方向奥側Ｘ２端部付近の、上向きの移動が規制される。すなわち、バッテリー支持ブラケット３０及びバッテリー１９が、旋回フレーム１３ａから脱落することが防止される。
【００４９】
（２）中間状態
中間状態は、バッテリー支持ブラケット３０がスライド方向Ｘに移動するとき等のバッテリー格納装置２０の状態である。以下、中間状態のときのバッテリー支持ブラケット３０の枠部２１に対する移動の規制について説明する。
（２−ａ）ブラケット左右方向Ｙの移動の規制
上述したように、左右スライドパッド６３により、バッテリー支持ブラケット３０のブラケット左右方向Ｙの移動が規制される。
（２−ｂ）上向きの移動の規制
また、上記のバッテリーメンテナンス状態と同様に、枠部側左右スライドパッド６３ａと、ブラケット側左右スライドパッド６３ｂとが接触することにより、バッテリー支持ブラケット３０の上向きの移動が規制される。
【００５０】
（３）バッテリー格納状態
バッテリー格納状態は、図３に示すように、バッテリー支持ブラケット３０の大部分（全部でもよい）及びバッテリー１９が、基部１７ｂの内側１７ｃ（枠部２１の内側）に格納された状態である。バッテリー格納状態のときは、ブラケット側ストッパー７１と奥側ストッパー７５とが係合する。以下、バッテリー格納状態のときのバッテリー支持ブラケット３０の枠部２１に対する移動の規制について説明する。
【００５１】
（３−ａ）スライド方向奥側Ｘ２の移動の規制
奥側ストッパー７５のスライド方向手前側Ｘ１端部と、ブラケット側ストッパー７１のスライド方向奥側Ｘ２端部と、が接触する。これにより、バッテリー支持ブラケット３０の、スライド方向奥側Ｘ２への移動が規制される。
【００５２】
（３ーｂ）ブラケット左右方向Ｙの移動の規制
バッテリー支持ブラケット３０をスライド方向奥側Ｘ２にスライドさせると、図４に示すブラケット側凹凸部７１ｂと、奥側凹凸部７５ｂと、が係合する。ブラケット側凹凸部７１ｂおよび奥側凹凸部７５ｂにテーパー形状が形成されているので、この係合がスムーズに行われる。この係合により、ブラケット左右方向Ｙへのバッテリー支持ブラケット３０（図３参照）の移動が規制される。
【００５３】
（３ーｃ）上向きの移動の規制
また、図３に示すバッテリー支持ブラケット３０をスライド方向奥側Ｘ２にスライドさせると、図４に示すブラケット側傾斜部７１ａの上に、奥側傾斜部７５ａが配置される（図３参照）。ブラケット側傾斜部７１ａ及び奥側傾斜部７５ａは傾斜した形状なので、この配置がスムーズに行われる。この配置により、図３に示すバッテリー支持ブラケット３０のスライド方向奥側Ｘ２端部付近の上向きの移動が規制される。また、上記の中間状態と同様に、枠部側左右スライドパッド６３ａと、ブラケット側左右スライドパッド６３ｂとが接触することにより、バッテリー支持ブラケット３０の上向きの移動が規制される。
【００５４】
（３−ｄ）ブラケット固定部材５０による固定
ブラケット側固定部材５１と枠部側固定部材５３とが、ブラケット固定ボルト５５で締結される。このとき、枠側板２１ｓよりもスライド方向手前側Ｘ１にブラケット固定部材５０が配置されるので、この締結作業が容易である。この締結により、バッテリー支持ブラケット３０のスライド方向手前側Ｘ１端部と枠部２１とが固定される。このとき、上述したように、ブラケット側ストッパー７１と奥側ストッパー７５とが係合することにより、バッテリー支持ブラケット３０のスライド方向奥側Ｘ２端部付近の、上向きの移動およびブラケット左右方向Ｙの移動が規制されている。よって、ブラケット固定部材５０で上記固定を行うのみで、バッテリー支持ブラケット３０全体が枠部２１に対して固定される。
【００５５】
（効果１）
次に、図１に示す作業機械１のバッテリー格納装置２０による効果を説明する。作業機械１は、前部に作業装置１３ｂが設けられるとともに後部にカウンタウエイト１３ｃが設けられる上部旋回体１３と、上部旋回体１３に対して移動可能に取り付けられる可動式キャブ１５と、キャブ支持ブラケット１７と、を備える。キャブ支持ブラケット１７は、上部旋回体１３に対して可動式キャブ１５を移動可能に支持すると共に、基部１７ｂが上部旋回体１３に固定される。図２に示すように、バッテリー格納装置２０は、バッテリー１９が載せられるバッテリー支持ブラケット３０を備える。図３及び図５に示すように、バッテリー支持ブラケット３０は、バッテリー支持ブラケット３０の少なくとも一部３０ａが基部１７ｂの内側１７ｃに配置された状態（図３参照）と、一部３０ａが基部１７ｂの外側１７ｄに配置された状態（図５参照）と、の間でスライド可能である。バッテリー支持ブラケット３０のスライド方向Ｘは、上部旋回体１３（図１参照）の左右方向（上部旋回体左右方向Ｘ）である。
【００５６】
バッテリー支持ブラケット３０は、上記のようにキャブ支持ブラケット１７（図１参照）の基部１７ｂの内側１７ｃと外側１７ｄとの間でスライド可能である。よって、バッテリー支持ブラケット３０に載せられたバッテリー１９を、基部１７ｂの内側に格納できる。よって、基部１７ｂの外側１７ｄでのバッテリー１９の配置スペースを狭くできる。その結果、基部１７ｂの横の前方（上部旋回体前後方向Ｙにおける前方）に配置されるステップ（図１に示す作業機械１の操作者が足をのせるためのスペース、図示なし）が狭くなることを抑制できる。その結果、可動式キャブ１５への昇降性を向上させることができる。
【００５７】
また、基部１７ｂの内側にバッテリー１９を格納できるので、従来技術（図６（ａ）及び（ｂ）参照）のようにバッテリー１９の長手方向を上部旋回体前後方向Ｙにして、複数のバッテリー１９を上部旋回体前後方向Ｙに直列的に配列する必要がない。よって、図１に示す基部１７ｂが上部旋回体前後方向Ｙに長くなることを抑制できる。その結果、下部走行体１１に対する可動式キャブ１５を上部旋回体前後方向Ｙ後側（従来技術に比べて後側）に配置できる。その結果、例えば作業機械１の走行時に、可動式キャブ１５から下方を覗き込んだとき、下部走行体１１の先端（例えばクローラの先端）が操作者から見えない（又は見えにくい）という問題を抑制できる。
【００５８】
図３及び図５に示すように、バッテリー支持ブラケット３０は、上記のようにキャブ支持ブラケット１７の基部１７ｂの内側１７ｃと外側１７ｄとの間でスライド可能である。よって、バッテリー支持ブラケット３０をスライドさせることで、基部１７ｂの内側１７ｃから外側１７ｄへバッテリー１９を容易に引き出せる。その結果、バッテリー１９のメンテナンスを容易に行える。
【００５９】
（効果２）
図２に示すように、バッテリー格納装置２０は、キャブ支持ブラケット１７（図１参照）の基部１７ｂの内側に配置されるスライドパッド６０を備える。スライドパッド６０は、スライド方向Ｘから見て、バッテリー支持ブラケット３０の左右及び下に配置される。
【００６０】
このスライドパッド６０により、バッテリー支持ブラケット３０を簡易な構成でスライドさせやすくできる。
【００６１】
（効果３）
図３に示すように、バッテリー格納装置２０は、バッテリー支持ブラケット３０に固定されるブラケット側ストッパー７１と、奥側ストッパー７５と、を備える。奥側ストッパー７５は、ブラケット側ストッパー７１よりもスライド方向奥側Ｘ２に配置され、上部旋回体１３に（旋回フレーム１３ａに）固定される。奥側ストッパー７５は、ブラケット側ストッパー７１と係合したときに、スライド方向Ｘに直交する方向へのブラケット側ストッパー７１の移動を規制するように構成される。
【００６２】
この構成では、バッテリー支持ブラケット３０をスライド方向奥側Ｘ２にスライドさせると、奥側ストッパー７５とブラケット側ストッパー７１とが係合する。すると、奥側ストッパー７５は、スライド方向Ｘに直交する方向へのブラケット側ストッパー７１の移動を規制する。この規制により、バッテリー支持ブラケット３０の、スライド方向Ｘに直交する方向へのガタツキを防止できる。すなわち、バッテリー支持ブラケット３０をスライド方向奥側Ｘ２にスライドさせるだけで、バッテリー支持ブラケット３０の上記ガタツキを防止できる。
【００６３】
（効果４）
図４（ａ）に示すように、ブラケット側ストッパー７１は、ブラケット側傾斜部７１ａと、ブラケット側凹凸部７１ｂと、を備える（以下、ブラケット側ストッパー７１については図４（ａ）参照）。ブラケット側傾斜部７１ａは、下側ほどスライド方向奥側Ｘ２に突出する。ブラケット側凹凸部７１ｂは、ブラケット側ストッパー７１のスライド方向奥側Ｘ２端部に配置され、凹形状または凸形状である。図４（ｂ）に示すように、奥側ストッパー７５は、奥側傾斜部７５ａと、奥側凹凸部７５ｂと、を備える（以下、奥側ストッパー７５については図４（ｂ）参照）。奥側傾斜部７５ａは、上側ほどスライド方向手前側Ｘ１に突出するとともに、ブラケット側傾斜部７１ａと接触可能に構成される。奥側凹凸部７５ｂは、奥側ストッパー７５のスライド方向手前側Ｘ１端部に配置され、ブラケット側凹凸部７１ｂに係合可能である。奥側凹凸部７５ｂは、ブラケット側凹凸部７１ｂと係合したときに、スライド方向Ｘから見た左右方向（ブラケット左右方向Ｙ）へのブラケット側凹凸部７１ｂの移動を規制するように構成される。
【００６４】
ブラケット側傾斜部７１ａは、下側ほどスライド方向奥側Ｘ２に突出する。また、奥側傾斜部７５ａは、上側ほどスライド方向手前側Ｘ１に突出する。この構成では、ブラケット側傾斜部７１ａの上面に奥側傾斜部７５ａの下面が接触すると、奥側傾斜部７５ａに対するブラケット側傾斜部７１ａの上向きの移動が規制される。その結果、図３に示す旋回フレーム１３ａ（上部旋回体１３（図１参照））に対するバッテリー支持ブラケット３０の上向きの移動を規制できる。
【００６５】
図４（ａ）及び（ｂ）に示すように、奥側凹凸部７５ｂは、ブラケット側凹凸部７１ｂと係合したときに、スライド方向Ｘから見た左右方向（ブラケット左右方向Ｙ）へのブラケット側凹凸部７１ｂの移動を規制するように構成される。この構成では、ブラケット側凹凸部７１ｂと奥側凹凸部７５ｂとを係合させることで、バッテリー支持ブラケット３０のブラケット左右方向Ｙへの移動を規制できる。
【００６６】
（効果５）
バッテリー格納装置２０は、手前側ストッパー７３を備える。手前側ストッパー７３は、ブラケット側ストッパー７１よりもスライド方向手前側Ｘ１に配置され、かつ、上部旋回体１３に固定され、かつ、ブラケット側ストッパー７１と接触可能に構成される。
【００６７】
この構成では、ブラケット側ストッパー７１は、手前側ストッパー７３と接触可能である。さらに、上述したように（効果３参照）、ブラケット側ストッパー７１は、奥側ストッパー７５と係合可能である。すなわち、ブラケット側ストッパー７１は、スライド方向奥側Ｘ２へのバッテリー支持ブラケット３０の移動を規制するストッパーと、スライド方向手前側Ｘ１へのバッテリー支持ブラケット３０の移動を規制するストッパーと、を兼ねている。その結果、バッテリー支持ブラケット３０の構成を簡素にできる。
【００６８】
（変形例）
上記実施形態は様々に変形できる。例えば、上記実施形態では、バッテリー１９は２つだったが、バッテリー１９は１つや３つ以上でもよい。また例えば、上記実施形態では、２つのバッテリー１９が上部旋回体前後方向Ｙに並べて配置された。しかし、２以上のバッテリー１９が、上部旋回体左右方向Ｘ（スライド方向Ｘ）に並べて配置されてもよい。
【符号の説明】
【００６９】
１    作業機械
１１  下部走行体
１３  上部旋回体
１３ｂ  作業装置
１３ｃ  カウンタウエイト
１５  可動式キャブ
１７  キャブ支持ブラケット
１７ｂ  基部
１７ｃ  内側
１７ｄ  外側
１９  バッテリー
２０  バッテリー格納装置
３０  バッテリー支持ブラケット
３０ａ  一部
６０  スライドパッド
７０  ストッパー
７１  ブラケット側ストッパー
７１ａ  ブラケット側傾斜部
７１ｂ  ブラケット側凹凸部
７３  手前側ストッパー
７５  奥側ストッパー
７５ａ  奥側傾斜部
７５ｂ  奥側凹凸部
Ｘ    スライド方向、上部旋回体左右方向（上部旋回体の左右方向）
Ｘ１  スライド方向手前側
Ｘ２  スライド方向奥側
【図１】
2014070425.tif 000003
【図２】
2014070425.tif 000004
【図３】
2014070425.tif 000005
【図４】
2014070425.tif 000006
【図５】
2014070425.tif 000007
【図６】
2014070425.tif 000008